(57)【要約】【課題】多チャンネル化が進むテレビ放送において、視聴者の好みのチャンネルを分単位の精度で判定し、自動的にそのチャンネルを選局、または、その時間であることを告知する機能を提供する。【解決手段】アナログまたはデジタル放送を受信するチューナーユニットと、受信した放送を表示する表示装置と、視聴者が番組を選択するための番組選択手段と、前記番組選択手段を解釈し前記チューナーユニットを制御しチューナーユニットから得られる時間情報と選局情報から視聴者の好みの番組を判定し前回判定した好みの番組情報をもとに選局制御または番組の告知を行う処理を行う制御マイコンと、好みの番組とその番組の開始時間を判定した情報を記憶しておくメモリーを備え、好みの番組判定の方法が、１時間を複数のブロックに分割し、そのブロックの範囲内での好みの番組およびその番組の開始時間を判定する。【選択図】図１
2005086324.tif 000002
【特許請求の範囲】
【請求項１】
アナログまたはデジタル放送を受信するチューナーユニットと、受信した放送を表示する表示装置と、視聴者が番組を選択するための番組選択手段と、前記番組選択手段を解釈し前記チューナーユニットを制御しチューナーユニットから得られる時間情報と選局情報から視聴者の好みの番組を判定し前回判定した好みの番組情報をもとに選局制御または番組の告知を行う処理を行う制御マイコンと、好みの番組とその番組の開始時間を判定した情報を記憶しておくメモリーを備え、好みの番組判定の方法が、１時間を複数のブロックに分割し、そのブロックの範囲内での好みの番組およびその番組の開始時間を判定することを特徴とするテレビジョン受像機の選局装置。
【請求項２】
視聴者の好みの番組の時間構成を推定し、前記ブロックの分割のための時間配分を切りかえることを特徴とする好みの番組判定手段を備えることを特徴とする請求項１に記載のテレビジョン受像機の選局装置。
【請求項３】
放送波から得られる電子番組表から得られる情報を好みの番組判定の判断材料として付加することを特徴とする請求項１または２のいずれかに記載のテレビジョン受像機の選局装置。
【発明の詳細な説明】
【技術分野】
【０００１】
本発明は、テレビジョン受像機に関するもので、特に視聴者の好みの番組を判定する自動選局装置に関する。
【背景技術】
【０００２】
現在、アナログの地上波放送に加え、デジタルＢＳ、デジタルＣＳ、地上デジタルといった放送が開始され視聴者の選択可能なチャンネルが急激に増加している。
【０００３】
しかしながら、選択可能なチャンネルが増えることで、視聴者がどの放送のどのチャンネルを毎週何時に見ていたのかといったことを覚えておかなければ、好みの番組の視聴機会を逸してしまう。また、視聴可能なチャンネルが増加する分、視聴したい番組を選局する手段が複雑になってしまう。
【０００４】
これに対する対策として、これらは番組開始の時間とそのチャンネルを記憶し好みの番組を判定するという方法をとるものが提案されている（例えば特許文献１、特許文献２、特許文献３、特許文献４を参照）。
【特許文献１】特開２００２−１９９２９３号公報
【特許文献２】特開平９−１４８９５３号公報
【特許文献３】特開２００２−１８５９１２号公報
【特許文献４】特開２００１−２２３９５９号公報
【発明の開示】
【発明が解決しようとする課題】
【０００５】
しかしながら、これらで提案されている方法はメモリーを膨大に使用し、また、５分番組といった短時間の番組を好みの番組として判定することが期待できないものであった。
【０００６】
本発明は、これらの課題を解決し、小容量のメモリーで、より精度の高い視聴者の好みの番組の判定を目的とする。
【課題を解決するための手段】
【０００７】
以上の課題を解決するために、ＢＳデジタル放送やＣＳデジタル放送、地上波デジタル放送を受信するそれぞれのユニットについて、制御マイコンが視聴者のリモコン操作を検知し選局制御をする構成のテレビジョン受像機において、制御マイコンは自身が管理する選局情報と放送波から取得できる時計情報（放送波から得られない場合は別途時計モジュールを追加することで時計情報を得る）をもとに、１時間を所定の数に分割したブロックの範囲で規定時間以上連続して視聴した番組を視聴者の好みの番組と判定し、ブロック内におけるその番組の視聴開始した相対的な時間（分）とチャンネル情報をメモリーに記憶する。好みの番組判定結果は前１週間分を記憶しておき、同じ曜日の同じ時間帯のブロックにおける好みの番組を比較し一致していれば、そのブロック内における毎週視聴する番組としてメモリーに記憶する。これら先週の好みの番組と今週の好みの番組と先週までに毎週視聴する好みの番組と判定した番組の情報を元に、視聴者が本当に視聴したい番組とその番組の開始時間を判定する手段を設けることで実現できる。
【発明の効果】
【０００８】
以上により、多チャンネル化が進むテレビ放送において、小容量のメモリーで、視聴者の好みのチャンネルを分単位の高い精度で推測し、自動的にそのチャンネルを選局、または、その時間であることを告知する機能を提供することができる。
【発明を実施するための最良の形態】
【０００９】
（実施の形態１）
図１に本発明の実施例を示す。１０１はＢＳデジタル放送を受信し映像および音声信号を出力するＢＳデジタルユニット、１０２はＣＳデジタル放送を受信し映像および音声信号を出力するＣＳデジタルユニット、１０３は地上デジタル放送を受信し映像および音声信号を出力する地上デジタルユニット、１０４は前記ＢＳデジタルユニットやＣＳデジタルユニット地上デジタルユニットから出力される映像・音声信号１０５を選択するＡＶスイッチ、１０６は前記ＡＶスイッチで選択された映像を表示する表示装置、１０７はリモコン送信機等から番組を選択する信号が入力されるインターフェース部、１０８は前記インターフェース部から入力される信号を元に制御線１０８ならびに１０９を用いて視聴者の視聴したい番組を表示装置に出力する制御マイコン、１１０は前記制御マイコンで判定される視聴者の好みの番組情報を記憶するメモリーである。
【００１０】
制御マイコン１０８は制御線１０９を用いて放送波より提供される時刻情報を取得することができる。このように構成されるテレビジョン受像機において、制御マイコンは図２に記載のアルゴリズムを用いて視聴者の好みの番組を判定する。
【００１１】
図２は視聴者の好みのチャンネルを判定するアルゴリズムである。Ｓ０１で現在時刻を取得し、Ｓ０２からＳ０４では現在時刻が１時間をＡ、Ｂ、Ｃ、Ｄの４つのブロックに分割した場合にどのブロックに属するかを判定し、Ｓ０５〜Ｓ０８は判定されたブロックの決定処理をする。
【００１２】
Ｓ０９は前記エリア判定結果を元に前回の判定処理からエリアが変化したかを判定し、変化していればＳ１７で視聴候補チャンネルの視聴時間カウンターをクリアし、Ｓ１８でエリア変化前の視聴者の嗜好するチャンネル判定処理をし、メモリーに記憶する。また、Ｓ０９でエリア変化していないと判定された場合、Ｓ１０で同一チャンネルを規定時間ｎ秒以上視聴したかを判定し、規定時間以上視聴していた場合Ｓ１１で現在視聴中のチャンネルが視聴者の好みのチャンネルの候補として登録されているチャンネルかを判定し、登録されていなければＳ１３で候補チャンネル登録処理をする。Ｓ１１で好みのチャンネルとして候補登録されている場合はＳ１２で該当する候補チャンネルの視聴時間を加算する。
【００１３】
Ｓ１４で視聴時間が規定時間ｍ秒以上に達した視聴候補チャンネルがある場合、Ｓ１５で視聴者の好みのチャンネルを確定処理し、Ｓ１６で継続視聴時間カウンターをクリア処理する。
【００１４】
なお、本発明は１時間内におけるエリアの分割数は任意とし、使用するメモリー容量に応じて分割数を設定することとするが、推奨を４〜８ブロックとする。これ以上は逆に判定精度を落としザッピングしていたチャンネルを誤判定してしまう等の誤動作を多発させる可能性がある。また、Ｓ１０における規定時間ｎ秒は任意であるがそのブロックの時間範囲の１／５〜１／３程度を推奨とする。Ｓ１４における規定時間ｍ秒は任意であるがそのブロックの時間範囲の１／３〜１／２程度を推奨とする。
【００１５】
Ｓ１８におけるエリア変化前の視聴者の嗜好するチャンネル判定処理は、Ｓ１５で視聴者の好みのチャンネルとして確定処理されたチャンネルとその視聴開始時間と、１週間前に判定したチャンネルとその視聴開始時間を比較し、一致していれば視聴者の毎週視聴したい番組であると判定し、今週のお好みのチャンネルと視聴開始時間を毎週視聴したい番組としてメモリーに記憶する。今週と先週で異なるチャンネルを視聴していた場合、毎週視聴したいチャンネルとして判定されたチャンネルと比較し、今週視聴していたチャンネルと一致していれば、毎週視聴していたチャンネルの選局回数を１増やす。異なっていれば選局回数を１減らす。この選局回数が０になった場合は、毎週視聴したいチャンネルは「無し」と判定する。
【００１６】
以上のアルゴリズムにより判定された視聴者の視聴したいチャンネルおよび視聴開始時間の記憶方法を図３ならびに図４に示す。図３は１時間をＡ、Ｂ、Ｃ、Ｄの４つのブロックに分割した場合の例である。エリアＡは０分からＴ０分までを範囲とし、このエリア内で視聴したいチャンネルと確定したチャンネルがｔ０分からチャンネルＸとｔ１分からチャンネルＹであることを示す。なお、ｔ０およびｔ１はエリア内での相対的な時間（分）を表す。チャンネルＸおよびＹは、ＢＳデジタルやＣＳデジタル、地上デジタルのチャンネルをシリーズに並べ替えた値に変換したものを使用する。
【００１７】
図４は図３で説明した手段を用いて実際にメモリーに記憶するための複合方法の一例である。図中の１マスは１ビットとする。エリアＡ、Ｂ、Ｃ、Ｄの時間範囲が夫々１５分を越えないとした場合、視聴開始分は１５までを表現できればよいので４ビットあればよい。また、視聴確定チャンネルはアナログ地上波チャンネルおよびＢＳデジタル、ＣＳデジタル、地上デジタルのチャンネル数をあわせても４０００未満なので１２ビットあれば十分表すことができる。よって、この手段を用いれば２バイトで視聴開始時間および視聴確定チャンネルを表現できるのでメモリーが小容量のものでも十分に本発明を実現することができる。
【００１８】
以上により小容量のメモリーで、数分単位の精度の高い視聴者の好みの番組の判定が可能となりこの判定結果を用いて、視聴者の好みのチャンネルを自動的に選局、または、番組開始時間であることを告知する機能を提供することができる。
【００１９】
（実施の形態２）
図５は本発明の第２の実施の形態における時間配分の異なるブロック分割の構成を示す図である。なお、図１に示す本発明の構成や図２の視聴者の好みのチャンネルを判定するアルゴリズムは実施の形態１と共通であるので説明を省略する。
【００２０】
１時間を任意の数に分割したエリア内で、お好みのチャンネルの候補と判定されたチャンネル数が多いエリアは、実際に視聴者が視聴したい番組が短時間番組で複数連続する場合が考えられる。図５は、エリアＡが候補チャンネルの多いエリア、エリアＢ、Ｃ、Ｄが候補チャンネルの少ないエリアである場合に、エリアの分割の仕方を変化させエリアＡが０〜１５分だったのを０〜７分の範囲をエリアＡ’、７〜１５分の範囲をエリアＢ’、１５〜６０分の範囲をエリアＣ’とＤ’で受け持つようにすることで、エリアＡでの視聴者のお好みのチャンネル判定精度を高めることができる。
【００２１】
なお、上記の実施の形態１あるいは２における嗜好するチャンネルの判定処理（図２のＳ１８）において、放送波から得られる電子番組表の情報を加味することができる。今週と先週の視聴チャンネルが同じであっても、電子番組表の情報を加味した結果、番組の内容が異なると判断された場合、これは視聴者のお好みのチャンネルではないと処理することで、視聴者の好みのチャンネル判定の精度を向上させることができる。
【産業上の利用可能性】
【００２２】
本発明にかかる選局装置は、多チャンネル化が進むテレビ放送において、視聴者の好みのチャンネルを分単位の精度で推測し、自動的にそのチャンネルを選局、または、その時間であることを告知する機能を提供することができるものであり、テレビジョン受像機等において有用である。
【図面の簡単な説明】
【００２３】
【図１】本発明の実施の形態の構成を示すブロック図
【図２】本発明の実施の形態における視聴者の好みのチャンネルを判定するアルゴリズムを示すフローチャート
【図３】本発明の第１の実施の形態におけるブロック分割の構成を示す図
【図４】本発明の実施の形態におけるデータの構成の一例を示す図
【図５】本発明の第２の実施の形態における時間配分の異なるブロック分割の構成を示す図
【符号の説明】
【００２４】
１０１    ＢＳデジタルユニット
１０２    ＣＳデジタルユニット
１０３    地上デジタルユニット
１０４    ＡＶスイッチ
１０５    映像・音声信号線
１０６    表示装置
１０７    番組を選択する信号が入力されるインターフェース部
１０８    制御マイコン
１０９    制御線
１１０    メモリー
【図１】
2005086324.tif 000003
【図２】
2005086324.tif 000004
【図３】
2005086324.tif 000005
【図４】
2005086324.tif 000006
【図５】
2005086324.tif 000007